(57)【要約】  本発明は、表示パネルの駆動方法を提供する。前記表示パネルの駆動方法は、第１画面フレームにおいて、第１多重信号、第２多重信号、第３多重信号、第４多重信号、第５多重信号及び第６多重信号に第１順序に従って順次ハイレベルパルスを発生させ、第２画面フレームにおいて、第１多重信号、第２多重信号、第３多重信号、第４多重信号、第５多重信号及び第６多重信号に第１順序とは異なる第２順序に従って順次ハイレベルパルスを発生させ、第１画面フレームと第２画面フレームとの効果を重畳することにより、表示パネルに表示される画面のストライプ感を解消し、表示品質を向上させる。【選択図】図４
2021517977.tif 000002
【特許請求の範囲】
【請求項１】
表示パネルを提供するステップＳ１と、
前記表示パネルは、複数の駆動ユニットを含み、それぞれの駆動ユニットは、複数行４列に配列された複数の画素、１２本のデータ線及び多重化モジュールを含み、それぞれの画素が第１副画素、第２副画素及び第３副画素の順に配列された３つの副画素を１行含み、複数の画素の副画素が複数行１２列に配列され、１本のデータ線が１列の副画素に対応して接続され、多重化モジュールが１２列の副画素にそれぞれ対応する１２個のスイッチング素子を含み、１２個のスイッチング素子の出力端子が、その対応する１列の副画素と接続されるデータ線にそれぞれ接続され、奇数列の画素に対応するスイッチング素子の入力端子が、いずれも第ｎ本目（ｎは正の整数である。）のデータ信号に接続され、偶数列の画素に対応するスイッチング素子の入力端子が、いずれも第ｎ＋１本目のデータ信号に接続され、第１及び第２列の画素における第１副画素に対応するスイッチング素子の制御端子が第１多重信号に接続され、第１及び第２列の画素における第２副画素に対応するスイッチング素子の制御端子が第２多重信号に接続され、第１及び第２列の画素における第３副画素に対応するスイッチング素子の制御端子が第３多重信号に接続され、第３及び第４列の画素における第１副画素に対応するスイッチング素子の制御端子が第４多重信号に接続され、第３及び第４列の画素における第２副画素に対応するスイッチング素子の制御端子が第５多重信号に接続され、第３及び第４列の画素における第３副画素に対応するスイッチング素子の制御端子が第６多重信号に接続されるステップＳ１と、
第１画面フレームに入るステップＳ２であって、
それぞれの第１画面フレームにおいて、前記第１多重信号、第２多重信号、第３多重信号、第４多重信号、第５多重信号、第６多重信号は、予め設定された第１順序に従って順次ハイレベルパルスを発生させるステップＳ２と、
第２画面フレームに入るステップＳ３であって、
それぞれの第２画面フレームにおいて、第１多重信号、第２多重信号、第３多重信号、第４多重信号、第５多重信号、第６多重信号は、予め設定された第２順序に従って順次ハイレベルパルスを発生させ、前記第１順序が第２順序とは異なるステップＳ３と、を含む表示パネルの駆動方法。
【請求項２】
前記第１順序として、前記第１画面フレームにおいて、１行あたりの副画素を走査する場合に、いずれも第１多重信号、第２多重信号、第３多重信号、第４多重信号、第５多重信号、第６多重信号の順にハイレベルパルスを発生させ、
前記第２順序として、前記第２画面フレームにおいて、１行あたりの副画素を走査する場合に、いずれも第６多重信号、第５多重信号、第４多重信号、第３多重信号、第２多重信号、第１多重信号の順にハイレベルパルスを発生させる請求項１に記載の表示パネルの駆動方法。
【請求項３】
前記第１順序として、前記第１画面フレームにおいて、奇数行の副画素を走査する場合には、第１多重信号、第２多重信号、第３多重信号、第４多重信号、第５多重信号、第６多重信号の順にハイレベルパルスを発生させ、偶数行の副画素を走査する場合には、第６多重信号、第５多重信号、第４多重信号、第３多重信号、第２多重信号、第１多重信号の順にハイレベルパルスを発生させ、
前記第２順序として、前記第２画面フレームにおいて、奇数行の副画素を走査する場合には、第６多重信号、第５多重信号、第４多重信号、第３多重信号、第２多重信号、第１多重信号の順にハイレベルパルスを発生させ、偶数行の副画素を走査する場合には、第１重信号、第２多重信号、第３多重信号、第４多重信号、第５多重信号、第６多重信号の順にハイレベルパルスを発生させる請求項１に記載の表示パネルの駆動方法。
【請求項４】
前記第１順序として、前記第１画面フレームにおいて、第４ｉ−３行及び第４ｉ−２行（ｉは正の整数である。）の副画素を走査する場合には、第１多重信号、第２多重信号、第３多重信号、第４多重信号、第５多重信号、第６多重信号の順にハイレベルパルスを発生させ、第４ｉ−１行及び第４ｉ行の副画素を走査する場合には、第６多重信号、第５多重信号、第４多重信号、第３多重信号、第２多重信号、第１多重信号の順にハイレベルパルスを発生させ、
前記第２順序として、前記第２画面フレームにおいて、第４ｉ−３行及び第４ｉ−２行（ｉは正の整数である。）の副画素を走査する場合には、第６多重信号、第５多重信号、第４多重信号、第３多重信号、第２多重信号、第１多重信号の順にハイレベルパルスを発生させ、第４ｉ−１行及び第４ｉ行の副画素を走査する場合には、第１重信号、第２多重信号、第３多重信号、第４多重信号、第５多重信号、第６多重信号の順にハイレベルパルスを発生させる請求項１に記載の表示パネルの駆動方法。
【請求項５】
前記第１順序として、前記第１画面フレームにおいて、１行あたりの副画素を走査する場合に、いずれも第１多重信号、第２多重信号、第３多重信号、第４多重信号、第５多重信号、第６多重信号の順にハイレベルパルスを発生させ、
前記第２順序として、前記第２画面フレームにおいて、１行あたりの副画素を走査する場合に、いずれも第４多重信号、第５多重信号、第６多重信号、第１多重信号、第２多重信号、第３多重信号の順にハイレベルパルスを発生させる請求項１に記載の表示パネルの駆動方法。
【請求項６】
前記第１順序として、前記第１画面フレームにおいて、奇数行の副画素を走査する場合には、第１多重信号、第２多重信号、第３多重信号、第４多重信号、第５多重信号、第６多重信号の順にハイレベルパルスを発生させ、偶数行の副画素を走査する場合には、第４多重信号、第５多重信号、第６多重信号、第１多重信号、第２多重信号、第３多重信号の順にハイレベルパルスを発生させ、
前記第２順序として、前記第２画面フレームにおいて、奇数行の副画素を走査する場合には、第４多重信号、第５多重信号、第６多重信号、第１多重信号、第２多重信号、第３多重信号の順にハイレベルパルスを発生させ、偶数行の副画素を走査する場合には、第１重信号、第２多重信号、第３多重信号、第４多重信号、第５多重信号、第６多重信号の順にハイレベルパルスを発生させる請求項１に記載の表示パネルの駆動方法。
【請求項７】
前記第１順序として、前記第１画面フレームにおいて、第４ｉ−３行及び第４ｉ−２行の副画素を走査する場合には、第１多重信号、第２多重信号、第３多重信号、第４多重信号、第５多重信号、第６多重信号の順にハイレベルパルスを発生させ、第４ｉ−１行及び第４ｉ行の副画素を走査する場合には、第４多重信号、第５多重信号、第６多重信号、第１多重信号、第２多重信号、第３多重信号の順にハイレベルパルスを発生させ、
前記第２順序として、前記第２画面フレームにおいて、第４ｉ−３行及び第４ｉ−２行（ｉは正の整数である。）の副画素を走査する場合には、第４多重信号、第５多重信号、第６多重信号、第１多重信号、第２多重信号、第３多重信号の順にハイレベルパルスを発生させ、第４ｉ−１行及び第４ｉ行の副画素を走査する場合には、第１重信号、第２多重信号、第３多重信号、第４多重信号、第５多重信号、第６多重信号の順にハイレベルパルスを発生させる請求項１に記載の表示パネルの駆動方法。
【請求項８】
前記スイッチング素子は薄膜トランジスタであり、スイッチング素子の制御端子が薄膜トランジスタのゲートであり、スイッチング素子の入力端子が薄膜トランジスタのソースであり、スイッチング素子の出力端子が薄膜トランジスタのドレインである請求項１に記載の表示パネルの駆動方法。
【請求項９】
それぞれの駆動ユニットは、複数本の走査線をさらに含み、１行の副画素が１本の走査線に対応して接続される請求項１に記載の表示パネルの駆動方法。
【請求項１０】
前記第１画面フレームが奇数画面フレームであり、第２画面フレームが偶数画面フレームである請求項１に記載の表示パネルの駆動方法。
【発明の詳細な説明】
【技術分野】
【０００１】
本発明は、表示技術分野に関し、特に表示パネルの駆動方法に関する。
【背景技術】
【０００２】
表示技術の発展に伴い、液晶表示装置（Ｌｉｑｕｉｄ  Ｃｒｙｓｔａｌ  Ｄｉｓｐｌａｙ，ＬＣＤ）等の平面表示装置は、高画質、省電力、薄型及び適用範囲が広い等の利点を有するため、陰極線管（Ｃａｔｈｏｄｅ  Ｒａｙ  Ｔｕｂｅ，ＣＲＴ）ディスプレイの変わりに、携帯電話、テレビ、携帯情報端末、デジタルカメラ、ノートパソコン、デスクトップコンピュータ等のさまざまな家庭用電化製品に広く適用され、表示装置の主流となっている。
【０００３】
現在市販されている液晶表示装置の大部分は、液晶表示パネル及びバックライトモジュール（ｂａｃｋｌｉｇｈｔ  ｍｏｄｕｌｅ）を含むバックライト型液晶表示装置である。液晶表示パネルの動作原理は、薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ，ＴＦＴ  Ａｒｒａｙ  Ｓｕｂｓｔｒａｔｅ）とカラーフィルタ（Ｃｏｌｏｒ  Ｆｉｌｔｅｒ，ＣＦ）基板との間に液晶分子を注入するとともに、両基板に駆動電圧を印加して液晶分子の回転方向を制御することで、バックライトモジュールの光を屈折させて画面を生成することである。
【０００４】
従来の液晶表示装置の駆動アーキテクチャでは、１つの画素電極にそれぞれ１本のデータ線Ｄａｔａ  ｌｉｎｅと１本の走査線Ｇａｔｅ  ｌｉｎｅとを有し、このようにして１本あたりの走査線におけるゲートの開き及び１本あたりのデータ線におけるデータの入力をうまく制御することを可能にするが、液晶表示パネルの解像度の増加に伴い、データ線及び走査線の本数も増加し、これに伴ってデータ線のファンアウト配線が占める領域の面積が増加することで、透過率及び表示効果に影響を与えてしまう。この問題を解決するために、時分割多重される原理を用いて１つのデータ信号により６列の画素に充電する技術である１入力６出力デマルチプレクサ（１ｔｏ６  Ｄｅ−ｍｕｘ）駆動アーキテクチャのような多重する駆動アーキテクチャが広く用いられている。図１を参照して、従来の１入力６出力デマルチプレクサ駆動アーキテクチャの表示パネルは、複数の駆動ユニットを含む。それぞれの駆動ユニットは、複数行４列に配列された複数の画素１００と、１２本のデータ線２００と、複数本の走査線３００と、多重化モジュール４００とを含む。それぞれの画素１００は、赤色副画素ｒ、緑色副画素ｇ及び青色副画素ｂの順に配列された３つの副画素１１０を１行含み、複数の画素１００の副画素１１０が複数行１２列に配列され、同一列の副画素１１０が同色であり、１本のデータ線２００が１列の副画素１１０に対応し、１本の走査線３００が１行の副画素１１０に対応して接続される。多重化モジュール４００は、１２列の副画素１１０にそれぞれ対応する１２個の薄膜トランジスタＴ１０を含み、１２個の薄膜トランジスタＴ１０のドレインが、対応する１列の副画素１１０に接続されたデータ線２００にそれぞれ接続され、奇数列の副画素１１０に対応する薄膜トランジスタＴ１０のソースがいずれも第Ｎ本目（Ｎは正の整数である。）のデータ信号ＤＮに接続され、偶数列の副画素１１０に対応する薄膜トランジスタＴ１０のソースがいずれも第Ｎ＋１本目のデータ信号ＤＮ＋１に接続され、第１列及び第２列の画素１００における赤色副画素ｒに対応する薄膜トランジスタＴ１０のゲートが第１多重信号ＭＵＸ１０に接続され、第１列及び第２列の画素１００における緑色副画素ｇに対応する薄膜トランジスタＴ１０のゲートが第２多重信号ＭＵＸ２０に接続され、第１列及び第２列の画素１００における青色副画素ｂに対応する薄膜トランジスタＴ１０のゲートが第３多重信号ＭＵＸ３０に接続され、第３列及び第４列の画素１００における赤色副画素ｒに対応する薄膜トランジスタＴ１０のゲートが第４多重信号ＭＵＸ４０に接続され、第３列及び第４列の画素１００における緑色副画素ｇに対応する薄膜トランジスタＴ１０のゲートが第５多重信号ＭＵＸ５０に接続され、第３列及び第４列の画素１００における青色副画素ｂに対応する薄膜トランジスタＴ１０のゲートが第６多重信号ＭＵＸ６０に接続される。
【０００５】
該表示パネルが駆動される場合に、順次行われる複数のフレーム周期を含み、１つあたりのフレーム周期は、順次行われる複数の行周期を含み、複数本の走査線３００は、順次複数の行周期においてハイレベルとなり、図２を参照して、１つあたりの行周期において、対応する薄膜トランジスタＴ１０をオンにして対応する副画素１１０にデータ信号を転送するために、第１多重信号ＭＵＸ１０、第２多重信号ＭＵＸ２０、第３多重信号ＭＵＸ３０、第４多重信号ＭＵＸ４０、第５多重信号ＭＵＸ５０及び第６多重信号ＭＵＸ６０の順にハイレベルパルスを発生させる。このような駆動方式は、データ線のファンアウト配線が占めるスペースの面積を減らして狭額縁化を実現できるが、従来技術では、１つあたりのフレーム周期における１つあたりの行周期を走査する場合に、複数の副画素１１０の充電順序が、第１列及び第２列の画素１００が先に充電され、第３列及び第４列の画素１００が後に充電される順序となっており、画素の充電不足及びコモン電圧の変動が生じた場合に、先に充電された画素１００の表示効果の方が後に充電された画素１００の表示効果よりも高くなり、最終的には、実際の表示時に、図３に示すように、第１列及び第２列の画素１００と第３列及び第４列の画素１００との間に著しい輝度ムラが生じてしまい、表示パネルに表示される画面にストライプ感が発生して、表示効果に影響を与えてしまう。
【発明の概要】
【発明が解決しようとする課題】
【０００６】
本発明の目的は、表示パネルに表示される画面のストライプ感を解消し、表示品質を向上させることができる表示パネルの駆動方法を提供することにある。
【課題を解決するための手段】
【０００７】
上記の目的を達成するために、本発明は、表示パネルの駆動方法を提供しており、当該駆動方法は、
表示パネルを提供するステップＳ１であって、
前記表示パネルは、複数の駆動ユニットを含み、それぞれの駆動ユニットは、複数行４列に配列された複数の画素、１２本のデータ線及び多重化モジュールを含み、それぞれの画素が第１副画素、第２副画素及び第３副画素の順に配列された３つの副画素を１行含み、複数の画素の副画素が複数行１２列に配列され、１本のデータ線が１列の副画素に対応して接続され、多重化モジュールが１２列の副画素にそれぞれ対応する１２個のスイッチング素子を含み、１２個のスイッチング素子の出力端子が、その対応する１列の副画素と接続されるデータ線にそれぞれ接続され、奇数列の画素に対応するスイッチング素子の入力端子が、第ｎ本目（ｎは正の整数である。）のデータ信号に接続され、偶数列の画素に対応するスイッチング素子の入力端子が、第ｎ＋１本目のデータ信号に接続され、第１及び第２列の画素における第１副画素に対応するスイッチング素子の制御端子が第１多重信号に接続され、第１及び第２列の画素における第２副画素に対応するスイッチング素子の制御端子が第２多重信号に接続され、第１及び第２列の画素における第３副画素に対応するスイッチング素子の制御端子が第３多重信号に接続され、第３及び第４列の画素における第１副画素に対応するスイッチング素子の制御端子が第４多重信号に接続され、第３及び第４列の画素における第２副画素に対応するスイッチング素子の制御端子が第５多重信号に接続され、第３及び第４列の画素における第３副画素に対応するスイッチング素子の制御端子が第６多重信号に接続されるステップＳ１と、
第１画面フレームに入るステップＳ２であって、    
それぞれの第１画面フレームにおいて、前記第１多重信号、第２多重信号、第３多重信号、第４多重信号、第５多重信号、第６多重信号は、予め設定された第１順序に従って順次ハイレベルパルスを発生させるステップＳ２と、
第２画面フレームに入るステップＳ３であって、
それぞれの第２画面フレームにおいて、第１多重信号、第２多重信号、第３多重信号、第４多重信号、第５多重信号、第６多重信号は、予め設定された第２順序に従って順次ハイレベルパルスを発生させ、前記第１順序が第２順序とは異なるステップＳ３と、を含む。
【０００８】
前記第１順序として、前記第１画面フレームにおいて、１行あたりの副画素を走査する場合に、いずれも第１多重信号、第２多重信号、第３多重信号、第４多重信号、第５多重信号、第６多重信号の順にハイレベルパルスを発生させ、
前記第２順序として、前記第２画面フレームにおいて、１行あたりの副画素を走査する場合に、いずれも第６多重信号、第５多重信号、第４多重信号、第３多重信号、第２多重信号、第１多重信号の順にハイレベルパルスを発生させる。
【０００９】
前記第１順序として、前記第１画面フレームにおいて、奇数行の副画素を走査する場合には、第１多重信号、第２多重信号、第３多重信号、第４多重信号、第５多重信号、第６多重信号の順にハイレベルパルスを発生させ、偶数行の副画素を走査する場合には、第６多重信号、第５多重信号、第４多重信号、第３多重信号、第２多重信号、第１多重信号の順にハイレベルパルスを発生させ、
前記第２順序として、前記第２画面フレームにおいて、奇数行の副画素を走査する場合には、第６多重信号、第５多重信号、第４多重信号、第３多重信号、第２多重信号、第１多重信号の順にハイレベルパルスを発生させ、偶数行の副画素を走査する場合には、第１重信号、第２多重信号、第３多重信号、第４多重信号、第５多重信号、第６多重信号の順にハイレベルパルスを発生させる。
【００１０】
前記第１順序として、前記第１画面フレームにおいて、第４ｉ−３行及び第４ｉ−２行の副画素を走査する場合には、第１多重信号、第２多重信号、第３多重信号、第４多重信号、第５多重信号、第６多重信号の順にハイレベルパルスを発生させ、第４ｉ−１行及び第４ｉ行の副画素を走査する場合には、第６多重信号、第５多重信号、第４多重信号、第３多重信号、第２多重信号、第１多重信号の順にハイレベルパルスを発生させ、
前記第２順序として、前記第２画面フレームにおいて、第４ｉ−３行及び第４ｉ−２行（ｉは正の整数である。）の副画素を走査する場合には、第６多重信号、第５多重信号、第４多重信号、第３多重信号、第２多重信号、第１多重信号の順にハイレベルパルスを発生させ、第４ｉ−１行及び第４ｉ行の副画素を走査する場合には、第１重信号、第２多重信号、第３多重信号、第４多重信号、第５多重信号、第６多重信号の順にハイレベルパルスを発生させる。
【００１１】
前記第１順序として、前記第１画面フレームにおいて、１行あたりの副画素を走査する場合に、いずれも第１多重信号、第２多重信号、第３多重信号、第４多重信号、第５多重信号、第６多重信号の順にハイレベルパルスを発生させ、
前記第２順序として、前記第２画面フレームにおいて、１行あたりの副画素を走査する場合に、いずれも第４多重信号、第５多重信号、第６多重信号、第１多重信号、第２多重信号、第３多重信号の順にハイレベルパルスを発生させる。
【００１２】
前記第１順序として、前記第１画面フレームにおいて、奇数行の副画素を走査する場合には、第１多重信号、第２多重信号、第３多重信号、第４多重信号、第５多重信号、第６多重信号の順にハイレベルパルスを発生させ、偶数行の副画素を走査する場合には、第４多重信号、第５多重信号、第６多重信号、第１多重信号、第２多重信号、第３多重信号の順にハイレベルパルスを発生させ、
前記第２順序として、前記第２画面フレームにおいて、奇数行の副画素を走査する場合には、第４多重信号、第５多重信号、第６多重信号、第１多重信号、第２多重信号、第３多重信号の順にハイレベルパルスを発生させ、偶数行の副画素を走査する場合には、第１重信号、第２多重信号、第３多重信号、第４多重信号、第５多重信号、第６多重信号の順にハイレベルパルスを発生させる。
【００１３】
前記第１順序として、前記第１画面フレームにおいて、第４ｉ−３行及び第４ｉ−２行の副画素を走査する場合には、第１多重信号、第２多重信号、第３多重信号、第４多重信号、第５多重信号、第６多重信号の順にハイレベルパルスを発生させ、第４ｉ−１行及び第４ｉ行の副画素を走査する場合には、第４多重信号、第５多重信号、第６多重信号、第１多重信号、第２多重信号、第３多重信号の順にハイレベルパルスを発生させ、
前記第２順序として、前記第２画面フレームにおいて、第４ｉ−３行及び第４ｉ−２行（ｉは正の整数である。）の副画素を走査する場合には、第４多重信号、第５多重信号、第６多重信号、第１多重信号、第２多重信号、第３多重信号の順にハイレベルパルスを発生させ、第４ｉ−１行及び第４ｉ行の副画素を走査する場合には、第１重信号、第２多重信号、第３多重信号、第４多重信号、第５多重信号、第６多重信号の順にハイレベルパルスを発生させる。
【００１４】
前記スイッチング素子は薄膜トランジスタであり、スイッチング素子の制御端子が薄膜トランジスタのゲートであり、スイッチング素子の入力端子が薄膜トランジスタのソースであり、スイッチング素子の出力端子が薄膜トランジスタのドレインである。
【００１５】
それぞれの駆動ユニットは、複数本の走査線をさらに含み、１行の副画素が１本の走査線に対応して接続される。
【００１６】
第１多重信号、第２多重信号、第３多重信号、第４多重信号、第５多重信号、第６多重信号のハイレベルパルスの時間長が同じである。
【発明の効果】
【００１７】
本発明の有益な効果は以下の通りであり、本発明に係る表示パネルの駆動方法は、第１画面フレームにおいて、第１多重信号、第２多重信号、第３多重信号、第４多重信号、第５多重信号及び第６多重信号に第１順序に従って順次ハイレベルパルスを発生させ、第２画面フレームにおいて、第１多重信号、第２多重信号、第３多重信号、第４多重信号、第５多重信号及び第６多重信号に第１順序とは異なる第２順序に従って順次ハイレベルパルスを発生させ、両画面フレームの効果を重畳することにより、表示パネルに表示される画面のストライプ感を解消し、表示品質を向上させる。
【図面の簡単な説明】
【００１８】
本発明の特徴及び技術的内容をより一層明らかにするために、以下の本発明に関する詳細な説明及び添付図面を参照するが、添付図面は、参照及び説明のためのものに過ぎず、本発明を限定するものではない。
図面において、
【図１】図１は、従来の１入力６出力デマルチプレクサ駆動アーキテクチャの表示パネルの構造概略図である。
【図２】図２は、図１に示す表示パネルの駆動タイミングチャートである。
【図３】図３は、図１に示す表示パネルの表示効果を示す図である。
【図４】図４は、本発明に係る表示パネルの駆動方法のフローチャートである。
【図５】図５は、本発明に係る表示パネルの駆動方法のステップＳ１を示す概略図である。
【図６】図６は、本発明に係る表示パネルの駆動方法の第１実施例のタイミングチャートである。
【図７】図７は、本発明に係る表示パネルの駆動方法の第１実施例のタイミングチャートである。
【図８】図８は、本発明に係る表示パネルの駆動方法の第２実施例のタイミングチャートである。
【図９】図９は、本発明に係る表示パネルの駆動方法の第２実施例のタイミングチャートである。
【図１０】図１０は、本発明に係る表示パネルの駆動方法の第３実施例のタイミングチャートである。
【図１１】図１１は、本発明に係る表示パネルの駆動方法の第３実施例のタイミングチャートである。
【図１２】図１２は、本発明に係る表示パネルの駆動方法の第４実施例のタイミングチャートである。
【図１３】図１３は、本発明に係る表示パネルの駆動方法の第４実施例のタイミングチャートである。
【図１４】図１４は、本発明に係る表示パネルの駆動方法の第５実施例のタイミングチャートである。
【図１５】図１５は、本発明に係る表示パネルの駆動方法の第５実施例のタイミングチャートである。
【図１６】図１６は、本発明に係る表示パネルの駆動方法の第６実施例のタイミングチャートである。
【図１７】図１７は、本発明に係る表示パネルの駆動方法の第６実施例のタイミングチャートである。
【発明を実施するための形態】
【００１９】
以下、本発明に用いられた技術的手段及びその効果をより明らかにするために、本発明の好ましい実施例及びその添付図面を参照して詳細に説明する。
【００２０】
図４を参照して、本発明は、表示パネルの駆動方法を提供しており、当該駆動方法は、
表示パネルを提供するステップＳ１であって、
図５に示すように、前記表示パネルは、複数の駆動ユニットを含み、それぞれの駆動ユニットは、複数行４列に配列された複数の画素１０、１２本のデータ線２０及び多重化モジュール４０を含み、それぞれの画素１０が第１副画素１０１、第２副画素１０２及び第３副画素１０３の順に配列された３つの副画素１１を１行含み、複数の画素１０の副画素１１が複数行１２列に配列され、１本のデータ線２０が１列の副画素１１に対応して接続され、多重化モジュール４０が１２列の副画素１１にそれぞれ対応する１２個のスイッチング素子４１を含み、１２個のスイッチング素子４１の出力端子が、その対応する１列の副画素１１と接続されるデータ線２０にそれぞれ接続され、奇数列の画素１０に対応するスイッチング素子４１の入力端子が、第ｎ本目（ｎは正の整数である。）のデータ信号Ｄｎに接続され、偶数列の画素１０に対応するスイッチング素子４１の入力端子が、第ｎ＋１本目のデータ信号Ｄｎ＋１に接続され、第１及び第２列の画素１０における第１副画素１０１に対応するスイッチング素子４１の制御端子が第１多重信号ＭＵＸ１に接続され、第１及び第２列の画素１０における第２副画素１０２に対応するスイッチング素子４１の制御端子が第２多重信号ＭＵＸ２に接続され、第１及び第２列の画素１０における第３副画素１０３に対応するスイッチング素子４１の制御端子が第３多重信号ＭＵＸ３に接続され、第３及び第４列の画素１０における第１副画素１０１に対応するスイッチング素子４１の制御端子が第４多重信号ＭＵＸ４に接続され、第３及び第４列の画素１０における第２副画素１０２に対応するスイッチング素子４１の制御端子が第５多重信号ＭＵＸ５に接続され、第３及び第４列の画素１０における第３副画素１０３に対応するスイッチング素子４１の制御端子が第６多重信号ＭＵＸ６に接続されるステップＳ１と、
具体的には、前記表示パネルは液晶表示パネル又はＯＬＥＤ表示パネルである。
【００２１】
具体的には、前記第１副画素１０１、第２副画素１０２及び第３副画素１０３は、赤色Ｒ、緑色Ｇ及び青色Ｂをそれぞれ表示し、同一列の副画素１１の色が同じである。
【００２２】
具体的には、前記スイッチング素子４１は薄膜トランジスタＴ１であり、スイッチング素子４１の制御端子が薄膜トランジスタＴ１のゲートであり、スイッチング素子４１の入力端子が薄膜トランジスタＴ１のソースであり、スイッチング素子４１の出力端子が薄膜トランジスタＴ１のドレインである。
【００２３】
さらに、前記それぞれの駆動ユニットは、複数本の走査線３０をさらに含み、１行の副画素１１が１本の走査線３０に対応して接続され、第ｍ（ｍは正の整数である。）行の副画素１１を走査するために、第ｍ本目の走査線３０がｍ番目の走査信号Ｇｍを出力し、それぞれの走査線３０が順序に従って走査信号を順次出力し、即ち１本の走査線３０の走査信号がハイレベルである場合に、残る走査線３０における走査信号がいずれもローレベルとなる。
【００２４】
第１画面フレームに入るステップＳ２であって、    
それぞれの第１画面フレームにおいて、前記第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６は、予め設定された第１順序に従って順次ハイレベルパルスを発生させるステップＳ２と、
第２画面フレームに入るステップＳ３であって、
それぞれの第２画面フレームにおいて、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６は、予め設定された第２順序に従って順次ハイレベルパルスを発生させ、前記第１順序が第２順序とは異なるステップＳ３と、を含む。
具体的には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６のハイレベルパルスの時間長が同じである。
【００２５】
具体的には、前記第１画面フレーム及び第２画面フレームが具体的にどの画面フレームであるかは、必要に応じて設定されてもよく、典型的には、第１画面フレームが奇数画面フレームであり、第２画面フレームが偶数画面フレームであるように設定されてもよく、無論、これらが本発明を限定するためのものではなく、第１画面フレームが第４ｑ−３画面フレーム及び第４ｑ−２（ｑは正の整数である。）画面フレームであり、第２画面フレームが第４ｑ−１画面フレーム及び第４ｑ画面フレームであるように設定されてもよく、これらは必要に応じて選択されてもよい。
【００２６】
所望により、図６及び図７に示すように、本発明の第１実施例では、前記第１順序として、前記第１画面フレームにおいて、１行あたりの副画素を走査する場合に、いずれも第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、前記第２順序として、前記第２画面フレームにおいて、１行あたりの副画素を走査する場合に、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させる。
【００２７】
なお、本発明の第１実施例では、前記第１画面フレームにおいて、１行あたりの副画素を走査する場合に、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、第１画像フレームは、それぞれの駆動ユニットの第１列の画素１０と第２列の画素１０とが先に充電され、第３列の画素１０及び第４列の画素１０が後に充電されて、前記第２画面フレームにおいて、１行あたりの副画素を走査する場合に、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させ、それぞれの駆動ユニットの第３列の画素１０及び第４列の画素１０が先に充電され、第１列の画素１０及び第２列の画素１０が後に充電されることで、第１画面フレームにおいて、それぞれの駆動ユニットの第１列の画素１０及び第２列の画素１０の輝度は、第３列の画素１０及び第４列の画素１０の輝度よりも大きく、第２画面フレームにおいて、それぞれの駆動ユニットの第１列の画素１０及び第２列の画素１０の輝度は、第３列の画素１０及び第４列の画素１０の輝度よりも小さくなることで、第１画像フレームと第２画像フレームとの効果の重畳により、表示パネルの表示時における全体の輝度を揃えることができ、表示パネルに表示される画面のストライプ感を解消して、表示品質を向上させることができる。
【００２８】
所望により、図８及び図９に示すように、前記第１順序として、前記第１画面フレームにおいて、奇数行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、偶数行の副画素を走査する場合には、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させ、前記第２順序として、前記第２画面フレームにおいて、奇数行の副画素を走査する場合には、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させ、偶数行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させる。
【００２９】
なお、本発明の第１実施例では、前記第１画面フレームにおいて、奇数行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、偶数行の副画素を走査する場合には、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させ、第１画面フレームの奇数行の副画素のうち、それぞれの駆動ユニットの第１列の画素１０と第２列の画素１０とが先に充電され、第３列の画素１０と第４列の画素１０とが後に充電され、第１画面フレームの偶数行の副画素のうち、それぞれの駆動ユニットの第３列の画素１０及び第４列の画素１０が先に充電され、第１列の画素１０と第２列の画素１０とが後に充電されることにより、第１画面フレームの奇数行の副画素は、第１列の画素１０と第２列の画素１０との輝度が第３列の画素１０及び第４列の画素１０の輝度よりも大きく、第１画面フレームの偶数行の副画素は、第１列の画素１０及び第２列の画素１０の輝度が、第３列の画素１０及び第４列の画素１０の輝度よりも小さく、前記第２画面フレームにおいて、奇数行の副画素を走査する場合には、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させ、偶数行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、第２画面フレームの奇数行の副画素のうち、それぞれの駆動ユニットの第３列の画素１０と第４列の画素１０とが先に充電され、第１列の画素１０と第２列の画素１０とが後に充電され、第２画面フレームの偶数行の副画素のうち、それぞれの駆動ユニットの第１列の画素１０と第２列の画素１０とが先に充電され、第３列の画素１０と第４列の画素１０とが後に充電されることにより、第２画面フレームの奇数行の副画素は、第１列の画素１０及び第２列の画素１０の輝度が第３列の画素１０及び第４列の画素１０の輝度よりも小さく、第２画面フレームの偶数行の副画素は、第１列の画素１０及び第２列の画素１０の輝度が第３列の画素１０及び第４列の画素１０の輝度よりも大きくなることにより、同一の画像フレームにおける奇数行の副画素と偶数行の副画素との輝度の差によって、第１画面フレームと第２画面フレームとの効果の重畳を組み合わせることにより、表示パネルの表示時における全体の輝度を揃えることができ、表示パネルに表示される画面のストライプ感を解消して、表示品質を向上させることができる。
【００３０】
所望により、図１０及び図１１に示すように、本発明の第３実施例では、前記第１順序として、前記第１画面フレームにおいて、第４ｉ−３行及び第４ｉ−２行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、第４ｉ−１行及び第４ｉ行の副画素を走査する場合に、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させる。
【００３１】
前記第２順序として、前記第２画面フレームにおいて、第４ｉ−３行及び第４ｉ−２（ｉは正の整数である。）行の副画素を走査する場合には、第６多重信号ＭＵＸ６、第５多重信号ＭＵＸ５、第４多重信号ＭＵＸ４、第３多重信号ＭＵＸ３、第２多重信号ＭＵＸ２、第１多重信号ＭＵＸ１の順にハイレベルパルスを発生させ、第４ｉ−１行及び第４ｉ行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させる。
【００３２】
なお、前記第３実施例では、同一画面フレームにおける第４ｉ−３行及び第４ｉ−２行の副画素と、第４ｉ−１行及び第４ｉ行の副画素との輝度の差により、第１画面フレームと第２画面フレームとの効果の重畳を組み合わせることにより、表示パネルの表示時における全体の輝度を揃えて、表示パネルに表示される画面のストライプ感を解消し、表示品質を向上させる。
【００３３】
所望により、図１２及び図１３に示すように、本発明の第４実施例では、前記第１順序として、前記第１画面フレームにおいて、１行あたりの副画素を走査する場合に、いずれも第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、
【００３４】
前記第２順序として、前記第２画面フレームにおいて、１行あたりの副画素を走査する場合に、いずれも第４多重信号ＭＵＸ４、第５多重信号ＭＵＸ５、第６多重信号ＭＵＸ６、第１多重信号ＭＵＸ１、第２多重信号ＭＵＸ２、第３多重信号ＭＵＸ３の順にハイレベルパルスを発生させる。
【００３５】
なお、前記第４実施例では、第１画面フレームと第２画面フレームとの効果の重畳により、表示パネルの表示時における全体の輝度を揃えて、表示パネルに表示される画面のストライプ感を解消して、表示品質を向上させる。
【００３６】
所望により、図１４及び図１５に示すように、本発明の第５実施例では、前記第１順序として、前記第１画面フレームにおいて、奇数行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、偶数行の副画素を走査する場合には、第４多重信号ＭＵＸ４、第５多重信号ＭＵＸ５、第６多重信号ＭＵＸ６、第１多重信号ＭＵＸ１、第２多重信号ＭＵＸ２、第３多重信号ＭＵＸ３の順にハイレベルパルスを発生させ、
前記第２順序として、前記第２画面フレームにおいて、奇数行の副画素を走査する場合には、第４多重信号ＭＵＸ４、第５多重信号ＭＵＸ５、第６多重信号ＭＵＸ６、第１多重信号ＭＵＸ１、第２多重信号ＭＵＸ２、第３多重信号ＭＵＸ３の順にハイレベルパルスを発生させ、偶数行の副画素を走査する場合には、第１重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させる。
【００３７】
なお、前記第５実施例では、同一画面フレームにおける奇数行の副画素と偶数行の副画素との輝度の差により、第１画面フレームと第２画面フレームとの効果の重畳を組み合わせることにより、表示パネルの表示時における全体の輝度を揃えて、表示パネルに表示される画面のストライプ感を解消し、表示品質を向上させる。
【００３８】
所望により、図１６及び図１７に示すように、本発明の第６実施例では、前記第１順序として、前記第１画面フレームにおいて、第４ｉ−３行及び第４ｉ−２行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させ、第４ｉ−１行及び第４ｉ行の副画素を走査する場合には、第４多重信号ＭＵＸ４、第５多重信号ＭＵＸ５、第６多重信号ＭＵＸ６、第１多重信号ＭＵＸ１、第２多重信号ＭＵＸ２、第３多重信号ＭＵＸ３の順にハイレベルパルスを発生させ、
前記第２順序として、前記第２画面フレームにおいて、第４ｉ−３行及び第４ｉ−２（ｉは正の整数である。）行の副画素を走査する場合には、第４多重信号ＭＵＸ４、第５多重信号ＭＵＸ５、第６多重信号ＭＵＸ６、第１多重信号ＭＵＸ１、第２多重信号ＭＵＸ２、第３多重信号ＭＵＸ３の順にハイレベルパルスを発生させ、第４ｉ−１行及び第４ｉ行の副画素を走査する場合には、第１多重信号ＭＵＸ１、第２多重信号ＭＵＸ２、第３多重信号ＭＵＸ３、第４多重信号ＭＵＸ４、第５多重信号ＭＵＸ５、第６多重信号ＭＵＸ６の順にハイレベルパルスを発生させる。
【００３９】
なお、本発明の第６実施例では、同一画面フレームにおける第４ｉ−３行及び第４ｉ−２行の副画素と、第４ｉ−１行及び第４ｉ行の副画素との輝度の差により、第１画面フレームと第２画面フレームとの効果の重畳を組み合わせることにより、表示パネルの表示時における全体の輝度を揃えて、表示パネルに表示される画面のストライプ感を解消し、表示品質を向上させる。
【００４０】
要約すると、本発明に係る表示パネルの駆動方法は、第１画面フレームにおいて、第１多重信号、第２多重信号、第３多重信号、第４多重信号、第５多重信号及び第６多重信号に第１順序に従って順次ハイレベルパルスを発生させ、第２画面フレームにおいて、第１多重信号、第２多重信号、第３多重信号、第４多重信号、第５多重信号及び第６多重信号に第１順序とは異なる第２順序に従って順次ハイレベルパルスを発生させ、両画面フレームの効果を重畳することにより、表示パネルに表示される画面のストライプ感を解消し、表示品質を向上させる。
【００４１】
上記の内容は、当業者にとっては、本発明の技術的手段及び技術的思想に基づいて他の様々な変更及び変形を行うことができるが、これらの変更及び変形も全て本発明の特許請求の保護範囲に属するものと理解されるべきである。
【図１】
2021517977.tif 000003
【図２】
2021517977.tif 000004
【図３】
2021517977.tif 000005
【図４】
2021517977.tif 000006
【図５】
2021517977.tif 000007
【図６】
2021517977.tif 000008
【図７】
2021517977.tif 000009
【図８】
2021517977.tif 000010
【図９】
2021517977.tif 000011
【図１０】
2021517977.tif 000012
【図１１】
2021517977.tif 000013
【図１２】
2021517977.tif 000014
【図１３】
2021517977.tif 000015
【図１４】
2021517977.tif 000016
【図１５】
2021517977.tif 000017
【図１６】
2021517977.tif 000018
【図１７】
2021517977.tif 000019
【国際調査報告】
2021517977.tif 000020
2021517977.tif 000021
2021517977.tif 000022
2021517977.tif 000023